(57)【要約】【課題】  レドームの外表面に対して積雪を効果的に防止することができ、降雪時においても、良好な電波透過性を確保することができるレドームを提供すること。【解決手段】  アンテナ５を保護するレドーム２において、当該レドーム２の外表面は、天頂部２ａから下方に向けて直径が漸次拡がる径拡部２ｂと、前記天頂部２ａにおいて、外気温よりも低い融解点の油液１４を前記径拡部２ｂに流下させることが可能な放油器１３とを備え、放油器１３から散布された油液１４の流下により、降雪時の氷雪１５をともにレドーム２の外表面から除去する。【選択図】図１
2013197720.tif 000002
【特許請求の範囲】
【請求項１】
アンテナを保護するレドームであって、
当該レドームの外表面は、天頂部から下方に向けて直径が漸次拡がる径拡部と、
前記天頂部において、外気温よりも低い融解点の油液を前記径拡部に流下させることが可能な放油器とを備えることを特徴とするレドーム。
【請求項２】
前記径拡部は、表面に前記天頂部から下方に向けて、分離と集合を繰り返す形状の溝部を備え、隣り合う当該溝部間の前記レドームの外表面は、平坦に構成されていることを特徴とする請求項１記載のレドーム。
【請求項３】
前記放油器は、前記油液を放出する放油口を備え、当該放油口は、前記レドームに対して回動可能な回転部に配されたことを特徴とする請求項１又は請求項２に記載のレドーム。
【請求項４】
前記レドームは、前記径拡部より下方に、流下してきた前記油液及び氷雪及び／又は水分を回収可能な油樋を備えることを特徴とする請求項１乃至請求項３のうち、いずれか１に記載のレドーム。
【請求項５】
前記油樋は、平面視、前記レドームの外周を少なくとも一周するように配され、始端から終端に向けて螺旋状に漸次下降するように配されたことを特徴とする請求項４に記載のレドーム。
【請求項６】
前記油液及び氷雪及び／又は水分は、回収されて、油水が分離されて、前記油液が循環再利用されることを特徴とする請求項４又は請求項５に記載のレドーム。
【発明の詳細な説明】
【技術分野】
【０００１】
本発明は、例えば、通信用アンテナ、気象用レーダーアンテナ、防衛用レーダーアンテナ等の各種アンテナを保護するためのレドームに関する。
【背景技術】
【０００２】
従来から、遠隔地通信、気象観測、航空管制又は防空監視等の目的で、種々のアンテナ装置が使用されている。これらの各種アンテナ装置は、一般に、雨風雪等の気象条件の影響を受けやすい場所に設置されるため、アンテナを雨風や積雪から保護するために、当該アンテナを、略半球状や略円錐状の形状を有するレドームにより覆う構成としている。
【０００３】
また、防衛施設用アンテナや、通信内容を秘匿する必要性のあるアンテナにおいては、アンテナの向いている方向及び稼働時間等の稼働状況を秘匿する必要があり、やはりレドームによってアンテナを覆う構成としている。
【０００４】
このレドームは、一般に、アンテナに対する干渉を防止するべく、電波透過率に優れた材料により形成されているが、レドームに積雪すると、積もった雪の存在により、電波透過率が低下してしまう。また、寒冷地においては、外気温が氷点下となると、水分の氷結による氷の存在により、やはり電波透過率が低下してしまう。そうすると、レドームを透過する電波が減衰してしまい、結果として、通信や、観測等のアンテナ精度が低下するという問題が生じていた。
【０００５】
そこで、降雪時、レドームへの積雪を防止するために、種々の対策が行われている。例えば、レドームにはしごをかけ、熱湯をかけて積雪を溶かす作業が行われている。
【０００６】
また、温風でレドーム内側から、レドームへの加熱を行い、レドーム外表面の積雪を溶かすことも考えられる。
【０００７】
さらに、レドームへの積雪を防止するべく、図４に示すようなレドームが知られている。図４は、従来のレドームを備えるアンテナ施設の全体構成を示す概略図である。図４に示すように、従来のアンテナ施設３１は、その内部にアンテナ３５が、その支持及び移動を担う台座部３５ａ上に備えられ、その周囲にアンテナの保護及び秘匿等を行うためのレドーム３２が配されている。当該レドーム３２はアンテナ施設３１の基礎となる土台３４上に設けられた壁部３３に支持されて配されている。
【０００８】
レドーム３２の内表面には熱線３６が張り巡らされており、各々の熱線３６に接続された給電ライン３６ａを介して、電源装置３６ｂから給電されて発熱し、レドームを暖めるヒータとして機能し、レドーム３２の外表面の積雪を溶かし、又は落下させる。
【０００９】
しかしながら、前記の如く、レドームにはしごをかけ、熱湯をかけて積雪を溶かす作業については、外気温が−１０℃以下の場合には、レドーム上の積雪に熱湯をかけても、そのまま、すぐに凍ってしまい、やはり氷による電波干渉が生じてしまう。
【００１０】
また、前記の如く、温風でレドーム内側から、レドームへの加熱を行い、レドーム外表面の積雪を溶かす場合は、レドーム自体の直径が１０ｍ以上と巨大なものが多いため、レドームの内側の上部のみしか暖まらない場合や、加熱に莫大な電力がかかり効率が悪く、さらには、外気温が−２０℃以下になるような場合、加熱を継続するには、やはり莫大な電力がかかってしまう。
【００１１】
さらに、前記図４の如く、レドーム３２の内表面に熱線３６を張り巡らし、レドームを暖めるヒータとして機能させ、レドーム３２の外表面の積雪を溶かす方法では、アンテナ使用時において、熱線内を流れる電流がアンテナにより送受信する電波に干渉してしまい、通信や、観測等のアンテナ精度が低下するという問題が生じる。
【先行技術文献】
【特許文献】
【００１２】
【特許文献１】特開２００２−３６８５１１号公報
【特許文献２】特開２００１−３２９７１９号公報  そこで、本発明は、上述の問題に鑑みてなされたものであり、レドームの外表面に対して積雪を効果的に防止することができ、降雪時においても、良好な電波透過性を確保することができるレドームを提供することを目的とする。
【発明の概要】
【課題を解決するための手段】
【００１３】
上記目標達成のため、本発明は、アンテナを保護するレドームであって、当該レドームの外表面は、天頂部から下方に向けて直径が漸次拡がる径拡部と、前記天頂部において、外気温よりも低い融解点の油液を前記径拡部に流下させることが可能な放油器とを備えることを特徴とする。
【００１４】
また、本発明のレドームにおける前記径拡部は、表面に前記天頂部から下方に向けて、分離と集合を繰り返す形状の溝部を備え、隣り合う当該溝部間の前記レドームの外表面は、平坦に構成されていることを特徴とする。
【００１５】
また、本発明のレドームにおける前記放油器は、前記油液を放出する放油口を備え、当該放油口は、前記レドームに対して回動可能な回転部に配されたことを特徴とする。
【００１６】
また、本発明の前記レドームは、前記径拡部より下方に、流下してきた前記油液及び氷雪及び／又は水分を回収可能な油樋を備えることを特徴とする。
【００１７】
また、本発明のレドームにおける前記油樋は、平面視、前記レドームの外周を少なくとも一周するように配され、始端から終端に向けて螺旋状に漸次下降するように配されたことを特徴とする。
【００１８】
また、本発明のレドームにおける前記油液及び氷雪及び／又は水分は、回収されて、油水が分離されて、前記油液が循環再利用されることを特徴とする。
【発明の効果】
【００１９】
本発明によれば、外気温よりも低い融解点の油液をレドームの表面に流下させることにより、油液とともに氷雪をレドーム外表面から押し流して、レドームの外表面に対する積雪を効果的に防止することができ、また、液体である油液は、アンテナで送受信される電波に対して影響を与えないため、降雪時においても、良好な電波透過性を確保することができる。
【００２０】
また、レドームの天頂部に放油器が配されており、電波透過領域に放油器が配されていないことから、アンテナの送受信に放油器が影響を与えることなしに、レドームの外表面に対して積雪を効果的に防止することが可能である。
【００２１】
また、レドームの外表面にその天頂部から下方に向けて、分離と集合を繰り返す形状の溝部を備え、隣り合う当該溝部間の前記レドームの外表面が、平坦に構成されていることから、放油器から放出された油液がまんべんなく拡散しながら、レドームの外表面を流下するため、効果的に積雪の防止が可能である。
【００２２】
また、放油器はレドームに対して回動可能に構成されているため、放油器から油液を全方向に放出可能であり、油液がまんべんなくレドームの外表面に散布されるため、効果的に積雪の防止が可能である。
【００２３】
また、レドームは、その外表面に流下してきた油液及び氷雪等を回収する油樋を備えるため、効率的な油液の回収を行うことができるとともに、油樋が始端から終点に向けて螺旋状に漸次下降する螺旋状に構成されていることから、油液等が自重により、油樋の終端部に向けて流すことが可能である。
【００２４】
また、レドームの外表面を流下した油液及び氷雪等は回収されて、油水が分離されて、油液が循環再利用されることから、油液を再度利用することが可能であり、効率的に積雪の防止が可能である。
【図面の簡単な説明】
【００２５】
【図１】本発明の第１の実施形態に係るレドームを備えるアンテナ施設の全体構成を示す概略図である。
【図２】図1のアンテナ施設における降雪時の油液及び氷雪の流れを示す図である。
【図３】本発明の第２の実施形態に係るレドームを備えるアンテナ施設の全体構成を示す概略図である。
【図４】従来のレドームを備えるアンテナ施設の全体構成を示す概略図である。
【発明を実施するための形態】
【００２６】
[本発明の第１の実施形態]
以下、  本発明の第１の実施形態に係るレドームについて図１及び図２を参照しながら詳細に説明する。図１は、本発明の第１の実施形態に係るレドームを備えるアンテナ施設の全体構成を示す概略図である。図２は、図1のアンテナ施設における降雪時の油液及び氷雪の流れを示す図である。
【００２７】
尚、本発明に係るレドームは、外気温よりも低い融解点の油液をレドームの表面に流下させることにより、油液とともに氷雪をレドーム外表面から押し流して、レドームの外表面に対する積雪を効果的に防止することができ、また、液体である油液は、アンテナで送受信される電波に対して影響を与えないため、降雪時においても、良好な電波透過性を確保することができるものである。
【００２８】
［本発明の第１の実施形態に係るレドームの構成］
図１に示すように、アンテナ施設１は、その内部に通信又は観測用等のアンテナ５が、その支持及び移動を担う台座部５ａ上に備えられ、その周囲にアンテナの保護及び秘匿等を行うためのレドーム２が配されている。当該レドーム２は、天頂部２ａから下方に向けて直径が拡がる略半球状に構成され、アンテナ施設３１の基礎となる土台４上に設けられた壁部３に支持されて配されている。
【００２９】
レドーム２は、前述の如く、天頂部２ａから下方に向けて直径が拡がる略半球状に構成されるため、レドーム２の外表面において、天頂部２ａから下方に向けて直径が漸次拡がる径拡部２ｂを備えており、油液１４を流下されるに適した構成となっている。
【００３０】
尚、図１においては、半球状のレドーム２を示しているが、レドーム２の形状は、前記径拡部２ｂを備える構成であれば、例えば、略円錐状や略角錐状等の種々の形状をとることができる。
【００３１】
また、レドーム２は、アンテナ５を保護及び秘匿等するという役割に加え、優れた電波透過性を有することが必要になる。そのため、優れた電波透過性を確保するために、レドーム２を構成する材料として、例えば、低誘電率で、かつ、低誘電損失である繊維強化プラスチック（ＦＲＰ）材が、使用されている。ここで、繊維強化プラスチック材の繊維強化材としては、例えば、ガラス繊維、アラミド繊維又は石英繊維が挙げられる。また、繊維強化プラスチック材のマトリックスとなるプラスチックとしては、例えば、不飽和ポリエステル樹脂、フェノール樹脂、エポキシ樹脂、ビスマレイミド樹脂が挙げられる。
【００３２】
また、レドーム２を、サンドイッチ構造により形成する構成としても良い。より具体的には、例えば、ポリエステルからなる発泡体と、当該発泡体の外表面を覆った繊維強化プラスッチックからなるサンドイッチ構造が挙げられる。
【００３３】
レドーム２の天頂部２ａには、放油器１３が配されている。これにより、電波透過領域に放油器１３が配されていないことから、アンテナ５の送受信に放油器１３が影響を与えることなしに、レドーム２の外表面に対して積雪を効果的に防止することが可能である。
【００３４】
放油器１３は、レドーム２の外表面に油液１４（図２の拡大図に示す）を供給するものであり、本実施の形態において、全体形状が円錐状に構成され、レドーム２の天頂部に配された基体部１３ａと、基体部１３ａに対して回動可能に構成された回転部１３ｂを備え、回転部１３ｂに油液１４の放出を行う放油口１３ｂ１を備えている。
【００３５】
放油器１３は前述の如く、全体形状が、円錐状に構成されており、その上部で回転する回転部１３ｂに放油口１３ｂ１が配されているため、その円錐状の形状に沿ってレドーム２への放油が可能であるとともに、回転によってレドーム２の外表面の全方向に油液１４をまんべんなく散布することが可能である。
【００３６】
回転部１３ｂの回動は、例えばモータによる回動機構（図視せず）により回動及びその制御を行ってもよいし、後述する送油ポンプ１１からの油液１４の供給による油液１４自体の圧力及びその流れを利用した自動回動機構としてもよい。
【００３７】
また、油液１４は、アンテナ施設１の下部に配された貯油タンク１０に貯められており、パイプ部７を介して送油ポンプ１１へと接続されている。送油ポンプ１１は図視せぬ制御装置により、油液１４を送油パイプ１２を介して放油器１３の放油口１３ｂ１に送油するものである。送油ポンプ１１は、公知の電動油ポンプ等の送油が可能であればどのようなポンプでも使用可能である。
【００３８】
また、油液１４を、送油ポンプ１１から放油口１３ｂ１へと運ぶ、送油パイプ１２は、レドーム２の内表面に沿うように配される構成、又は、アンテナの送受信への影響を避けるべく、レドーム２の天頂部２ａから吊り下げて常時、アンテナの背後に位置する構成として、アンテナの電波透過領域に被らないようにすることも可能である。
【００３９】
径拡部２ｂの下方には、油樋部６がレドーム２の外表面に沿うように（巻き付くように）配されている。油樋部６は、放油器１３から放油され、流下してきた油液１４、さらには油液１４とともに流下する氷雪（図２に示す）や、水分を回収するものであある。
【００４０】
油樋部６は、アンテナ５に対して電波干渉を生じさせないよう、アンテナ５の電波透過領域よりも下方となる径拡部２ｂの下方に配される。そして、平面視、レドーム２の外周を少なくとも一周以上するように配され、かつ、レドーム２の外表面に沿った樋状に構成されて、レドーム２の外表面との間に送油空間６ａを形成するものであり、これにより、レドーム２の天頂部２ａから流下してくる油液１４等を全て回収可能となっている。
【００４１】
さらに、油樋部６は、その始端となる始端部６ｂから、終端となる終端部６ｃに向けて螺旋状に漸次下降するようにレドーム２の外表面に配されており、油液等が自重により、油樋部６の終端部６ｃに向けて流すことが可能となっている。
【００４２】
油樋部６の終端部６ｃには、送油空間６ａを流れてきた油液１４等をレドーム２の外表面から、アンテナ施設１の内部に油液１４等を引き込む導入パイプ６ｄの一端が接続されている。導入パイプ６ｄの他端側は、アンテナ施設１の内部において、パイプ部７を介して、油水分離器９に接続されている。
【００４３】
油樋部６の終端部６ｃは、その始端部６ｄから引いた鉛直下方へのラインＬよりもさらに延伸して、油樋部６の始端部６ｂ側とその上下方向（鉛直方向）において重複するように配されている。
【００４４】
即ち、前述の如く、平面視、レドーム２の外周を少なくとも一周以上するように配されるものであって、これにより、油液１４等が拡散しながらレドーム２の外表面を流下する場合であっても、レドーム２の外表面を流下する全ての油液１４等を確実に回収可能とするものである。従って、油樋部６における始端部６ｂ側と終端部６ｃ側との重複部分は、油液１４等の拡散の程度を考慮して、拡散しうる距離以上の重複とすることが必要である。
【００４５】
前述の如く、油樋部６の終端部６ｃに接続された導入パイプ６ｄの他端側は、パイプ部７を介して、油水分離器９に接続されている。油水分離器９は、油と水とをその比重差を利用して分離するものであり、公知の構成を採用可能である。
【００４６】
一例として、連続する複数の桝状の槽において、油の特性である水より軽い密度を利用し、浮いた油は留め置き、水だけを隣り合う次の槽に流すことを３、４回繰り返すことにより、油液の施設外への流出を防止することが可能である。また、これを油水分離フィルターに代える構成や、油水分離フィルターをさらに追加する構成等、油水の分離が行え、油液１４がアンテナ施設外へと排出されるようなことがなければどのような構成でもよい。
【００４７】
また、油水分離に先立って、回収した油液１４及び氷雪１５に図示せぬ加熱手段により加熱し、氷雪１５を溶かし、水にしておくと、油水の分離が容易である。この氷雪１５への加熱は、油樋部６の終端部６ｃ及び導入パイプ６ｄを発熱させることにより行えば、氷雪１５が終端部６ｃ及び導入パイプ６ｄに詰まってしまうことが防止されるとともに、ヒータによる電波干渉もなく、好適である。
【００４８】
油水分離器９には、パイプ部７を介して、アンテナ施設１の外部へと排水を行う排水パイプ８から接続されており、分離された水は図示せぬ送水手段にて排水パイプ８からアンテナ施設１の外部へと排出される。また、油水分離器９はパイプ部７を介して貯油タンク１０と接続されており、図示せぬ送油手段にて分離された油液１４がパイプ部７を介して貯油タンク１０へと送られる。
【００４９】
これにより、貯油タンク１０に蓄えられた油液１４が、送油ポンプ１１によって送油パイプ１２を介して放油器１３の放油口１３ｂ１から、レドーム２の外表面へと散布される。そして、油液１４は、氷雪１５とともに油樋部６に回収されて、その終端部６ｃから導入パイプ６ｄを介してアンテナ施設１の内部へと引き込まれ、油水分離器９によって油水の分離が行われ、分離された水は排水パイプ８から排出され、分離された油液１４は、貯油タンク１０へと戻ることになり、油液１４の循環再利用が行われるものである。
【００５０】
［本発明の第１の実施形態に係るレドーム外表面における油液の流れ］
前述の如く、本発明に係るレドームに用いられる油液１４は、放油された後、回収されて循環再利用されるものであるが、レドーム２の外表面における油液１４の流れ、及び氷雪除去のメカニズムを図２により説明する。
【００５１】
図２に示すように、降雪開始時又は気象情報などにより、直下に降雪が予想されるような場合、油液１４の散布を開始するものであり、図２におけるアンテナ施設１上に記載した矢印は、油液１４の流れを示すものである。
【００５２】
放油器１３の回転部１３ｂに配された放油口１３ｂ１より放出された油液１４は、回転部１３ｂの回転により、レドーム２の全方向に対して油液１４の放出が可能であるとともに、放油器１３の円錐形状により、放油器１３の基体部１３ａを伝ってレドーム２の外表面に至る。
【００５３】
その後、油液１４は、レドーム２の外表面形状が略半球状となっていることから、即ち、レドーム２が、天頂部から下方に向けて直径が漸次拡がる径拡部２ｂを備えることから、レドーム２の全方向に対して放出された油液１４がその自重によって、レドーム２の外表面の下方へと流下して行く。
【００５４】
図２の拡大図にも示すように、降り積もる氷雪１５は、流下する油液１４とともに、レドーム２の外表面を流下していき、油樋部６によって回収され、螺旋状の油樋部６の構成する送油空間６ａ内をその自重により、徐々に油樋部６の始端部６ｂ側から終端部６ｃ側へと流れ、終端部６ｃにおいて導入パイプ６ｄによってアンテナ施設１内へと引き込まれる。
【００５５】
この場合、終端部６ｃ及び導入パイプ６ｄを発熱させることより、氷雪１５を油水分離器９（図１に示す）における油水分離に先立って溶かすことにより、スムーズに油水分離できるともに、終端部６ｃ及び導入パイプ６ｄに氷雪１５が詰まってしまうことが防止される。
【００５６】
また、油水分離器９において分離された水は、排水パイプ８から排出され、同様に分離された油液１４は、循環再利用されて再び放油器１３の放油口１３ｂ１から再度放出され、レドーム２の外表面に散布される。
【００５７】
［本発明の第１の実施形態に係るレドームに用いられる油液について］
ここで、油液１４には、以下のものが用いられる。即ち、油液１４自体は、疎水性を有するため、レドーム２の外表面上に塗布してあるのみでも、降雪に対して有効であり、さらには、その自重でレドーム２の外表面を流下するため、その流れにより、ともに氷雪１５を押し流すことが可能であるが、外気温や、氷雪により凍結してしまうことが絶対的に避けられることが必要である。
【００５８】
そのため、油液１４は、アンテナ施設１の設置箇所の年間最低気温より、低い気温においても凝固しない（結晶化しない）低融解点の油液が用いられる必要がある。また、油液１４とともに氷雪１５を押し流すためには、油液１４はある程度の流動性を保つ必要がある。従って、例えば、寒冷地等では−４０℃の外気においても、ある程度の流動性を保ったまま、凝固しない（結晶化しない）低融解点の油液１４が求められる。この流動性は、流動性が大きすぎてしまうと、レドーム２の外表面から油液１４が、風により飛散してしまうことが考えられるため、飛散を防止するべく、ある程度の粘性を確保し、流動性と粘性とのバランスの確保が必要である。
【００５９】
ここで、特開２００８−３１１４９「新規ジカルボン酸ジエステル化合物、化学物質改質剤及びその利用」においては、寒冷地においても使用可能で低温流動性を備え、かつ、流動性の温度依存性が低い不凍油液が開示されており、アンテナ施設１における外気温より低い融解点を持ち、氷点下においても流動性を保つ油液１４を本発明に適用可能である。
【００６０】
また、油液１４は、例えば、直径１０ｍのレドーム２においては、径拡部２ｂの表面積は、１５７ｍ２となり、直径１２ｍのレドーム２においては、径拡部２ｂの表面積は、２２７ｍ２となる。これに対して、氷雪１５を押し流す油液１４の流れを作るには、直径１０ｍのレドーム２においては、１７．６ｌ／分を散布し、直径１２ｍのレドーム２においては、２０ｌ／分を散布する。油液１４の散布にあたっては、１０分乃至２０分程度で放油器１３の回転部１３ｂがレドーム２の全方向を周回するように回転部１３ｂを回動制御する。この程度の間隔であれば、回転部１３ｂが周回中に積雪があったとしても、油液１４の流下により押し流すことが可能である。また、重点的に油液１４を散布したい箇所がある場合に、その方向に油液１４を散布するように制御可能であることは当然である。
【００６１】
散布を２時間半続けた場合、直径１０ｍのレドーム２においては、２５００ｌが散布され、直径１２ｍのレドーム２においては、３０００ｌが散布されることとなる。しかしながら、油液１４を全量用意する必要はなく、油液１４は、油樋部６により回収されて循環再利用されることから、油液１４の回収率を考慮して、予め蓄えておく油液１４の量を計算すればよい。
【００６２】
また、油液１４の回収率は、油液１４が、レドーム２の外表面にそのまま塗布されたような状態で滞留することが考えられるため、油液１４の回収率を高める場合には、レドーム２の外表面を疎油性の材質又は被覆で覆う等して、油液１４のレドーム２の外表面に滞留することを防止することが可能である。
【００６３】
[本発明の第２の実施形態]
本発明の第２の実施形態に係るレドームについて、図３を用いて説明する。図３は、本発明の第２の実施形態に係るレドームを備えるアンテナ施設の全体構成を示す概略図である。この第２の実施形態において、第１の実施形態と同様な部分は、同一の符号を付してその説明を省略する。図３に示すように、本発明の第２の実施形態においては、第１の実施形態に比して、レドーム２の形状を、多面体形状のパネルを有するジオデシックドームと呼ばれる多面体レドーム２２とした点のみが相違する。
【００６４】
多面体レドーム２２は、図示しない略三角形状を有するアルミ製の枠体によってその骨格が形成されている。当該枠体には、耐候性を有する膜部材からなる複数の平坦なパネル部材によって平面部２２ａが形成されている。この膜部材は、例えば、前述のアラミド繊維と、当該アラミド繊維の外表面を覆うエチレンプロピレン等の耐候性を有するゴム材からなるものが挙げられる。
【００６５】
ここで、隣り合う平面部２２ａと平面部２２ａとの間には、略三角形状を有する枠体の形状に一致して、溝部２２ａ１を形成する。これは、平面部２２ａを構成するパネル部材と隣り合うパネル部材の間との隙間によって構成することが可能であり、レドーム２の内部へと油液１４が漏出しない構造とする。
【００６６】
溝部２２ａ１は、径拡部２ｂを始めとするレドーム２の外表面において、天頂部２ａから下方に向けて、隣り合う略三角形上の平面部２２ａと平面部２２ａとの間において、分離と集合を繰り返す形状となる。経験則上、これら上方から下方に向けて分離と集合を繰り返す溝部２２ａ１を備える多面体レドーム２２においては、上方から熱湯等の液体を供給した場合に、その液体がまんべんなく拡散しやすいことが当業者には知られている。
【００６７】
図３の拡大部分における矢印は、油液１４の流れを示すものであり、油液１４は、分離と集合を繰り返す溝部２２ａ１に沿うように流れると共に、溝部２２ａ１からあふれ出しながら拡散して流下するものである。そのため、本発明による第２の実施形態の多面体レドーム２２においては、第１の実施形態によって得られる効果に加え、放油器１３から放出された油液１４がさらにまんべんなく拡散しながら、レドームの外表面を流下するため、効果的に積雪の防止が可能である。
【００６８】
この発明は、その本質的特性から逸脱することなく数多くの形式のものとして具体化することができる。よって、上述した実施形態は専ら説明上のものであり、本発明を制限するものではないことは言うまでもない。
【符号の説明】
【００６９】
１        アンテナ施設
２        レドーム
２ａ      天頂部
２ｂ      径拡部
３        壁部
４        土台
５        アンテナ
５ａ      台座部
６        油樋部
６ａ      送油空間
６ｂ      始端部
６ｃ      終端部
６ｄ      導入パイプ
７        パイプ部
８        排水パイプ
９        油水分離器
１０      貯油タンク
１１      送油ポンプ
１２      送油パイプ
１３      放油器
１３ａ    基体部
１３ｂ    回転部
１３ｂ１  放油口
１４      油液
１５      氷雪
２２      多面体レドーム
２２ａ    平面部
２２ａ１  溝部
３１      アンテナ施設
３２      レドーム
３３      壁部
３４      土台
３５      アンテナ
３５ａ    台座部
３６      熱線ヒータ
３６ａ    給電ライン
３６ｂ    電源装置
【図１】
2013197720.tif 000003
【図２】
2013197720.tif 000004
【図３】
2013197720.tif 000005
【図４】
2013197720.tif 000006